(57)【要約】【課題】会議の要点を書き留めた文章（以下、速記内容）から、会議における重要事項を抽出して表示する。【解決手段】重要事項表示装置１は、速記内容蓄積部１０２から速記内容をセンテンス毎にセンテンス情報として受信すると、重要事項キーワード検出部１０５と、除外キーワード検出部１０６とで、受信したセンテンス情報にキーワードが含まれているか否かの判断を行い、その結果、重要事項キーワードを含み、かつ除外キーワードを含まないセンテンス情報を重要事項として抽出して重要事項蓄積部１１２に蓄積し、出力装置１１３に出力して表示を行う。【選択図】図１
2018116512.tif 000002
【特許請求の範囲】
【請求項１】
速記内容から重要事項を抽出する方法であって、
前記速記内容を蓄積する速記内容蓄積手段と、前記重要事項を蓄積する重要事項蓄積手段と、前記速記内容蓄積手段にセンテンス追加が行われたことを検出するセンテンス追加検出ステップと、前記速記内容蓄積手段の追加センテンスを解析し、日時、人名、行動の重要事項キーワードのいずれかを検出する重要事項キーワード検出ステップと、前記速記内容蓄積手段の追加センテンスを解析し、質問文、疑問文の文末を表す除外キーワードのいずれかを検出する除外キーワード検出ステップと、前記重要事項蓄積手段に重要事項を蓄積する重要事項蓄積ステップと、を有し、
前記重要事項キーワード検出ステップが前記重要事項キーワードのいずれかを検出し、かつ前記除外キーワード検出ステップが前記除外キーワードのいずれも検出しなかった場合に前記速記内容蓄積手段の追加センテンスを重要事項として前記重要事項蓄積手段に蓄積することを特徴とする重要事項抽出方法。
【請求項２】
請求項１に記載の重要事項抽出方法において、
前記重要事項キーワードと前記除外キーワードの両方を含むセンテンスを重要候補とし、前記重要候補を蓄積する候補蓄積手段と、前記速記内容蓄積手段の追加センテンスを解析し、同意を表す同意キーワードのいずれかを検出する同意キーワード検出ステップと、前記候補蓄積手段に、前記重要候補を蓄積する候補蓄積ステップと、前記重要事項蓄積手段に前記重要候補と前記速記内容蓄積手段の追加センテンスの両方を蓄積する重要候補蓄積ステップと、をさらに有し、
前記候補蓄積手段に前記重要候補が存在せず、かつ前記重要事項キーワード検出ステップが前記重要事項キーワードのいずれかを検出し、かつ前記除外キーワード検出ステップが前記除外キーワードのいずれかを検出した場合に、前記速記内容蓄積手段の追加センテンスを重要候補として前記候補蓄積手段に蓄積することと、前記候補蓄積手段に前記重要候補が存在し、かつ前記同意キーワード検出ステップが前記同意キーワードのいずれかを検出した場合に、前記候補蓄積手段の前記重要候補と前記速記内容蓄積手段の追加センテンスの両方を重要事項として前記重要事項蓄積手段に蓄積することを特徴とする重要事項抽出方法。
【請求項３】
請求項１、２に記載の重要事項抽出方法において、
前記除外キーワードに対応した平常文の文末表現を登録するセンテンス変換テーブルと、前記候補蓄積手段の前記重要候補を前記センテンス変換テーブルに従い、質問文、疑問文を平常文に変換する、センテンス変換ステップと、をさらに有し、
前記候補蓄積手段に前記重要候補が存在し、かつ前記同意キーワード検出ステップが前記同意キーワードのいずれかを検出した場合に前記候補蓄積手段の前記重要候補を前記センテンス変換ステップにて変換し前記重要事項蓄積手段に蓄積することを特徴とする重要事項抽出方法。
【請求項４】
請求項１に記載の重要事項抽出方法において、
前記重要事項キーワード検出ステップで検出した重要事項キーワードを種別で分類するキーワード分類ステップと、をさらに有し、
前記重要事項キーワード検出ステップが前記重要事項キーワードを二つ以上検出し、かつ前記キーワード分類ステップが、前記重要事項検出ステップの検出した前記重要事項キーワードを、二つ以上の種別に分類可能と判断した場合に前記速記内容蓄積手段の追加センテンスを重要事項として前記重要事項蓄積手段に蓄積することを特徴とする重要事項抽出方法。
【発明の詳細な説明】
【技術分野】
【０００１】
本発明は、会議参加者の発言内容から重要事項を抽出する方法に関する。
【背景技術】
【０００２】
従来、会議における議事録を作成する場合、議事録作成担当者が参加者の発言内容から会議中に要点をまとめて書き留めた文章（以下、速記内容）を作成し、会議終了後に速記内容を参考にしながら議事録の作成を行っていた。そのため、議事録を作成する作業に人的及び時間的なリソースがかかっていた。
【０００３】
上記問題を解決する技術として特許文献１には、議事録作成装置が、会議における音声データを受信し、受信した音声データの声紋と予め登録された会議の参加者の声紋を比較して発言者を特定するとともに、当該音声データを音声認識して文字情報に変換し、前記発言者と前記文字情報を、発言した順に記録する技術が記載されている。
【先行技術文献】
【特許文献】
【０００４】
【特許文献１】特開２００４−２８７２０１号公報
【発明の概要】
【発明が解決しようとする課題】
【０００５】
特許文献１の技術を議事録の作成に適用することで、人的及び時間的リソースを掛けずにリアルタイムで議事録に残すことが可能となるが、会議に途中から参加する者がこれまでの会議内容の経緯を把握しようとした場合、時系列に沿って自動記録した文字情報を全て確認しなければならず煩雑である。
【０００６】
本発明は上記課題に鑑みてなされたものであり、その目的は、自動記録された文字情報から、途中から会議に参加する者が簡易に会議内容を把握できスムーズに会議に参加することが可能な方法を提供することにある。
【課題を解決するための手段】
【０００７】
上記課題を解決するために、本発明は、速記内容から重要事項を抽出する方法であって、前記速記内容を蓄積する速記内容蓄積手段と、前記重要事項を蓄積する重要事項蓄積手段と、前記速記内容蓄積手段にセンテンス追加が行われたことを検出するセンテンス追加検出ステップと、前記速記内容蓄積手段の追加センテンスを解析し、日時、人名、行動の重要事項キーワードのいずれかを検出する重要事項キーワード検出ステップと、前記速記内容蓄積手段の追加センテンスを解析し、質問文、疑問文の文末を表す除外キーワードのいずれかを検出する除外キーワード検出ステップと、前記重要事項蓄積手段に重要事項を蓄積する重要事項蓄積ステップと、を有し、前記重要事項キーワード検出ステップが前記重要事項キーワードのいずれかを検出し、かつ前記除外キーワード検出ステップが前記除外キーワードのいずれも検出しなかった場合に前記速記内容蓄積手段の追加センテンスを重要事項として前記重要事項蓄積手段に蓄積することを特徴とする。
【発明の効果】
【０００８】
本発明によれば、重要事項表示装置は、速記内容から、重要事項キーワードを含み、かつ除外キーワードを含まないセンテンスを抽出・表示する。これにより、会議の途中参加者は、会議の重要事項のみを確認することができ、会議の状況を把握してスムーズに会議に参加することができる。
【図面の簡単な説明】
【０００９】
【図１】図１は、重要事項表示装置１のブロック構成図である。
【図２】図２は、本発明の一実施の形態に係る重要事項表示装置１の動作フローチャート図である。
【発明を実施するための形態】
【００１０】
以下、本発明を実施する形態について、図面を用いて説明する。
【００１１】
図１は、重要事項表示装置１のブロック構成図である。
【００１２】
図示するように、重要事項表示装置１は入力装置１０１、速記内容蓄積部１０２、センテンス抽出部１０３、判定制御部１０４、重要事項キーワード検出部１０５、除外キーワード検出部１０６、同意キーワード検出部１０７、キーワード登録部１０８、候補蓄積部１０９、センテンス変換部１１０、センテンス変換テーブル１１１、重要事項蓄積部１１２、出力装置１１３から構成される。
【００１３】
入力装置１０１は、キーボード等の汎用的な入力装置であり、入力された速記内容を、速記内容蓄積部１０２に渡す。
【００１４】
速記内容蓄積部１０２は、入力装置１０１から渡された速記内容を蓄積する。
【００１５】
センテンス抽出部１０３は、速記内容蓄積部１０２を監視し、速記内容蓄積部１０２に速記内容が蓄積されると、速記内容をセンテンス毎に抽出し、判定制御部１０４にセンテンス情報として渡す。
【００１６】
キーワード登録部１０８は、重要事項キーワード（例えば、日時、人名、行動を表すキーワード）、除外キーワード（例えば、「〜ですか？」等の質問文、疑問文を表すキーワード）、同意キーワード（例えば、「異議なし」等の同意を表すキーワード）を登録する場所であり、図示しないが、入力装置１０１から登録操作を行い登録する。
【００１７】
候補蓄積部１０９は、センテンス情報を重要候補として蓄積する蓄積部である。
【００１８】
候補蓄積部１０９は、判定制御部１０４からセンテンス情報の蓄積を指示されると、センテンス情報を重要候補として蓄積する。
【００１９】
候補蓄積部１０９は、判定制御部１０４から重要候補の削除を指示されると、蓄積していた重要候補を削除する。
【００２０】
候補蓄積部１０９は、センテンス変換部１１０から重要候補の削除を指示されると、蓄積していた重要候補を削除する。
【００２１】
重要事項キーワード検出部１０５は、判定制御部１０４からセンテンス情報を受け取ると、センテンス情報中にキーワード登録部１０８に登録されている重要事項キーワードが有るか否かを判定する。そして、重要事項キーワード検出部１０５は、センテンス情報中にキーワード登録部１０８に登録されている重要事項キーワードが有るか否かを示す応答である重要事項キーワード有無応答を判定制御部１０４に返す。
【００２２】
除外キーワード検出部１０６は、判定制御部１０４からセンテンス情報を受け取ると、センテンス情報中にキーワード登録部１０８に登録されている除外キーワードが有るか否かを判定する。そして、除外キーワード検出部１０６は、センテンス情報中にキーワード登録部１０８に登録されている除外キーワードが有るか否かを示す応答である除外キーワード有無応答を判定制御部１０４に返す。
【００２３】
同意キーワード検出部１０７は、判定制御部１０４からセンテンス情報を受け取ると、センテンス情報中にキーワード登録部１０８に登録されている同意キーワードが有るか否かを判定する。そして、同意キーワード検出部１０７は、センテンス情報中にキーワード登録部１０８に登録されている同意キーワードが有るか否かを示す同意キーワード有無応答を判定制御部１０４に返す。
【００２４】
判定制御部１０４は、センテンス抽出部１０３からセンテンス情報を受け取ると、候補蓄積部１０９に重要候補が蓄積されているかを確認し、重要候補が蓄積されていた場合、同意キーワード検出部１０７にセンテンス情報を送り、同意キーワード検出部１０７からの同意キーワード有無応答を待つ。
【００２５】
候補蓄積部１０９に重要候補が蓄積されていない場合、判定制御部１０４は、重要事項キーワード検出部１０５にセンテンス情報を送り、重要事項キーワード検出部１０５からの重要事項キーワード有無応答を待つ。そして判定制御部１０４は、重要事項キーワード検出部１０５から重要事項キーワード有無応答を受け取ると、その内容を確認する。そして、該応答が重要事項キーワード有りを示す場合、判定制御部１０４は、除外キーワード検出部１０６にセンテンス情報を送り、除外キーワード検出部１０６からの除外キーワード有無応答を待つ。
【００２６】
除外キーワード検出部１０６からの除外キーワード有無応答を受け取ると、判定制御部１０４は、その内容を確認する。そして、判定制御部１０４は、該応答が除外キーワード有りを示す場合は、候補蓄積部１０９にセンテンス情報の蓄積要求を行う。
【００２７】
該応答が除外キーワード無しを示す場合、判定制御部１０４は、重要事項蓄積部１１２にセンテンス情報の蓄積要求を行う。
【００２８】
判定制御部１０４は、同意キーワード検出部１０７からの同意キーワード有無応答を受け取ると、その内容を確認する。そして、判定制御部１０４は、該応答が同意キーワード有りを示す場合は、センテンス変換部１１０にセンテンスの変換要求を行う。
【００２９】
該応答が同意キーワード無しを示す場合、判定制御部１０４は、候補蓄積部１０９に重要候補の削除要求を行う。
【００３０】
判定制御部１０４は、候補蓄積部１０９に重要候補の削除要求を行った後に、重要事項キーワード検出部１０５にセンテンス情報を送り、重要事項キーワード検出部１０５からの重要事項キーワード有無応答を待つ。
【００３１】
センテンス変換部１１０は、判定制御部１０４からセンテンスの変換要求を受け取ると、候補蓄積部１０９から重要候補を取得し、センテンス変換テーブル１１１に登録されている質問文から平常文への変換パターン（例えば、「〜ですか？」を「〜です。」に変換。）に従い、質問文の重要候補を平常文（です・ます調の文）の重要候補に変換する。そして、重要事項蓄積部１１２に、変換した重要候補の蓄積要求を行う。
【００３２】
センテンス変換部１１０は、重要事項蓄積部１１２に変換した重要候補の蓄積要求を行った後に、候補蓄積部１０９に重要候補の削除要求を行う。
【００３３】
センテンス変換テーブル１１１は、例えば『「〜ですか？」は「〜です。」に変換する。』のような、質問文から平常文への変換パターンを登録する場所であり、図示しないが、入力装置１０１から登録操作を行い登録する。
【００３４】
重要事項蓄積部１１２は、判定制御部１０４からセンテンス情報の蓄積を指示されると、センテンス情報を重要事項として蓄積する。
【００３５】
重要事項蓄積部１１２は、センテンス変換部１１０から重要候補の蓄積を指示されると、重要候補を重要事項として蓄積する。
【００３６】
出力装置１１３は、ディスプレイ等の汎用的な出力装置であり、重要事項蓄積部１１２に蓄積した内容を画面に表示する。
【００３７】
図２は、本発明の一実施の形態に係る重要事項表示装置１の動作フローチャート図である。本フローは重要事項表示装置１が起動された状態からスタートする（Ｓ２００）。
【００３８】
重要事項表示装置１は、速記内容蓄積部１０２への速記内容の追加を待つ（Ｓ２０１）。
【００３９】
重要事項表示装置１は、速記内容蓄積部１０２への速記内容の追加を検出すると（Ｓ２０１でＹＥＳ）、速記内容蓄積部１０２からセンテンス情報を取得し（Ｓ２０２）、候補蓄積部１０９に重要候補の蓄積があるか否かを判断する（Ｓ２１０）。
【００４０】
重要事項表示装置１は、候補蓄積部１０９に重要候補の蓄積があった場合（Ｓ２１０でＹＥＳ）、センテンス情報に同意キーワードが含まれるか否かを判断する（Ｓ２１１）。
【００４１】
重要事項表示装置１は、センテンス情報に同意キーワードが含まれていた場合（Ｓ２１１でＹＥＳ）、候補蓄積部１０９に蓄積された重要候補を取得し（Ｓ２１３）、取得した重要候補を平常文に変換し（Ｓ２１４）、変換した重要候補を重要事項として重要事項蓄積部１１２に蓄積し（Ｓ２３０）、速記内容蓄積部１０２への速記内容の追加待ち（Ｓ２０１）に戻る。
【００４２】
重要事項表示装置１は、センテンス情報に同意キーワードが含まれていない場合（Ｓ２１１でＮＯ）、候補蓄積部１０９に蓄積された重要候補を削除し（Ｓ２１２）、センテンス情報に重要事項キーワードが含まれるか否かを判断する（Ｓ２２０）。
【００４３】
重要事項表示装置１は、センテンス情報に重要事項キーワードが含まれていた場合（Ｓ２２０でＹＥＳ）、センテンス情報に除外キーワードが含まれるか否かを判断する（Ｓ２２１）。
【００４４】
重要事項表示装置１は、センテンス情報に除外キーワードが含まれていた場合（Ｓ２２１でＹＥＳ）、センテンス情報を重要候補として候補蓄積部１０９に蓄積し（Ｓ２２２）、速記内容蓄積部１０２への速記内容の追加待ち（Ｓ２０１）に戻る。
【００４５】
重要事項表示装置１は、センテンス情報に除外キーワードが含まれていない場合（Ｓ２２１でＮＯ）、センテンス情報を重要事項として重要事項蓄積部１１２に蓄積し（Ｓ２３０）、速記内容蓄積部１０２への速記内容の追加待ち（Ｓ２０１）に戻る。
【００４６】
重要事項表示装置１は、センテンス情報に重要事項キーワードが含まれていない場合（Ｓ２２０でＮＯ）、速記内容蓄積部１０２への速記内容の追加待ち（Ｓ２０１）に戻る。
【００４７】
重要事項表示装置１は、候補蓄積部１０９に重要候補の蓄積がなかった場合（Ｓ２１０でＮＯ）、センテンス情報に重要事項キーワードが含まれるか否かを判断する（Ｓ２２０）。
【００４８】
以上、本発明を実施する形態について説明した。
【００４９】
本発明を実施する形態によれば、重要事項表示装置１は、速記内容からセンテンス毎にセンテンス情報を取得し、重要事項キーワードを含み、かつ除外キーワードを含まないセンテンス情報を重要事項として抽出し表示する。
【００５０】
これにより、会議の途中参加者は、表示内容を確認すれば会議の重要事項を把握することができるので、スムーズに会議に参加することができる。
【００５１】
また、本発明を実施する形態によれば、重要事項表示装置１は、速記内容から、センテンス毎にセンテンス情報を取得し、重要事項キーワードと除外キーワードの両方を含むセンテンス情報を抽出した場合、次のセンテンス情報に同意キーワードが含まれるか否かを確認し、同意キーワードが含まれていれば両センテンス情報を重要事項として抽出し表示する。
【００５２】
これにより、「重要事項の確認と確認に対する同意」というセンテンス情報も重要事項として抽出して表示できるようになるため重要事項抽出の精度が上がり、会議の途中参加者は、表示内容から重要事項が把握しやすくなり、スムーズに会議に参加することができる。
【００５３】
また、本発明を実施する形態によれば、重要事項表示装置１は、「重要事項の確認と確認に対する同意」のセンテンス情報を抽出した場合、重要事項の確認のセンテンス情報を平常文（です・ます調の文）に変換し、変換したセンテンス情報のみを重要事項として表示する。
【００５４】
これにより、「重要事項の確認と確認に対する同意」の２つのセンテンス情報を１つのセンテンス情報にまとめて表示できるため、表示する重要事項の量が少なくなり、会議の途中参加者は、スムーズに会議に参加することができる。
【００５５】
また、本発明を実施する形態によれば、重要事項表示装置１は、複数の重要事項キーワードを含むセンテンス情報を抽出した場合、重要事項キーワードを種別毎に分類し（例えば、日時、人名、行動）、複数の種別が含まれていればセンテンス情報を重要事項として抽出し表示する。
【００５６】
これにより、重要事項キーワードを多く含んでいても、その内容が偏ったセンテンス情報は抽出されにくくなるため、重要事項抽出の精度が上がり、会議の途中参加者は、表示内容から重要事項が把握しやすくなり、スムーズに会議に参加することができる。
【００５７】
尚、本実施例では、入力装置１０１は、キーボード等の汎用的な入力装置であると説明したが、本願はこれに限定されない。例えば、入力装置１０１は、マイクを使用した音声入力装置とし、音声情報を文字情報に変換して速記内容蓄積部１０２に渡すようにしてもよい。
【符号の説明】
【００５８】
１・・・重要事項表示装置
１０１・・・入力装置
１０２・・・速記内容蓄積部
１０３・・・センテンス抽出部
１０４・・・判定制御部
１０５・・・重要事項キーワード検出部
１０６・・・除外キーワード検出部
１０７・・・同意キーワード検出部
１０８・・・キーワード登録部
１０９・・・候補蓄積部
１１０・・・センテンス変換部
１１１・・・センテンス変換テーブル
１１２・・・重要事項蓄積部
１１３・・・出力装置
【図１】
2018116512.tif 000003
【図２】
2018116512.tif 000004